(57)【特許請求の範囲】
【請求項１】
筐体と、
前記筐体に開閉自在に取り付けられ扉と、
前記扉に設置された表示装置と、
前記扉の側面カバー部に設けられた通気口と、
を備え、
前記通気口の下側に液体を貯留可能な貯留部を有し、
前記扉の内部に冷却ファンを備え、前記冷却ファンの吸入側及び吐出側に、それぞれ前記通気口が設けられていることを特徴とする冷蔵庫。
【請求項２】
前記通気口が、
前記側面カバー部の外面に設けられた第１の開口部と、
前記貯留部の上方に設けられた第２の開口部と、
を更に有し、
前記貯留部が、前記第１の開口部から流入した所定量の液体を貯留可能なことを特徴とする請求項１に記載の冷蔵庫。
【請求項３】
前記貯留部が、前記第１の開口から前記扉の内側に伸びて、前記第１の開口の下端から所定の高さまでの領域を覆う面部を有し、前記面部が存在しない上側の領域に前記第２の開口部が形成されていることを特徴とする請求項２に記載の冷蔵庫。
【請求項４】
前記扉の内部に、
前記表示装置を制御するための基板と、
前記冷却ファン及び前記基板の間を繋ぐように配置された整流板と、
を備えることを特徴とする請求項１から３の何れか１項に記載の冷蔵庫。
【請求項５】
前記扉の底面カバー部に、前記扉の内部及び外部の間を気体が流動可能な開口を有することを特徴とする請求項１から４の何れか１項に記載の冷蔵庫。
【発明の詳細な説明】
【技術分野】
【０００１】
本発明は、表示装置を備えた冷蔵庫に関する。
【背景技術】
【０００２】
扉に表示装置を備えた冷蔵庫が知られている。その中には、表示装置やその基板からの発熱に対処するため、表示装置やその基板からの熱を吸収する部材を扉の中に備えた冷蔵庫が提案されている（例えば、特許文献１参照）。
【先行技術文献】
【特許文献】
【０００３】
【特許文献１】特開２０１４−２０６３１８号公報
【発明の概要】
【発明が解決しようとする課題】
【０００４】
扉に備えられる表示装置の大きさが大きくなるにつれて、表示装置やその基板からの発熱量も増える。よって、表示装置が大きくなると、特許文献１に記載の熱を吸収する部材では、冷蔵庫の扉内部の温度を十分に抑えることができない可能性がある。一方、冷却強化のため、仮に、扉の内部に外気を取り入れる開口を設けたとすると、この開口を介して、水やダスト等が扉の内部に侵入して、扉の内部を劣化させたり損傷させたりする可能性がある。
【０００５】
従って、本発明の目的は、上記の課題を解決するものであり、扉に大形の表示装置を備えた場合であっても、表示装置やその基板を十分に冷却可能で、かつ扉内部を保護可能な冷蔵庫を提供することにある。
【課題を解決するための手段】
【０００６】
本発明は、筐体と、
前記筐体に開閉自在に取り付けられ扉と、
前記扉に設置された表示装置と、
前記扉の側面カバー部に設けられた通気口と、
を備え、
前記通気口の下側に液体を貯留可能な貯留部を有することを特徴とする。
【０００７】
本発明によれば、扉の側面カバー部に設けられた通気口により、扉の内部と外部との間で空気が流動できるので、大形の表示装置であっても、表示装置やその基板からの熱を十分に外部へ放熱することができる。通気口は、１つだけ設けられている場合も、複数設けられている場合もあり得る。
【０００８】
一方、通気口が設けられていると、空気だけでなく、水をはじめとする様々な液体が扉の内部に侵入する可能性がある。基本的に、水等の液体は空気よりも比重が大きいので、通気口の下側に流入する。本発明では、通気口の下側に液体を貯留可能な貯留部を有するので、この貯留部により液体が扉の内部に流入するのを防ぐことができる。また、この貯留部は、液体だけでなく、ダストをはじめとする空気よりも比重が大きい固体が、扉の内部に侵入するのを防ぐこともできる。
【０００９】
空気は、通気口の全領域から流入可能であり、通気口の下側に流入した空気も気流にのって上側へ流動することができる。よって、貯留部があっても、空気は通気口を介して、扉の外部から内部へ流入することができる。同様に、貯留部があっても、空気は通気口を介して、扉の内部から外部へ流出することができる。この場合であっても、貯留部により、液体やダスト等が扉の内部に侵入するのを防ぐことができる。
【００１０】
以上のように、本発明によれば、通気口の下側に貯留部を有することにより、扉に大形の表示装置を備えた場合であっても、表示装置やその基板を十分に冷却可能で、かつ扉内部を保護可能な冷蔵庫を提供することができる。
【００１１】
また本発明は、前記通気口が、
前記側面カバー部の外面に設けられた第１の開口部と、
前記貯留部の上方に設けられた第２の開口部と、
を更に有し、
前記貯留部が、前記第１の開口部から流入した所定量の液体を貯留可能なことを特徴とする。
【００１２】
本発明によれば、貯留部により、第１の開口部から流入した液体を所定量貯留できるので、貯留部の貯留量を適切に選ぶことにより、液体やダスト等が扉の内部に侵入するのを確実に防ぐことができる。一方、空気は、貯留部の上方に設けられた第２の開口を通って、扉の内部に流入することができる。同様に、空気は通気口を介して、扉の内部から外部へ流出することができる。この場合でも、貯留部により、液体やダスト等が扉の内部に侵入するのを確実に防ぐことができる。
【００１３】
以上のように、本発明によれば、貯留部及びその上部の第２の開口により、扉の内外における通気を実現するとともに、液体やダスト等が扉の内部に侵入するのを確実に防ぐことができる。
【００１４】
また本発明は、前記貯留部が、前記第１の開口から前記扉の内側に伸びて、前記第１の開口の下端から所定の高さまでの領域を覆う面部を有し、前記面部が存在しない上側の領域に前記第２の開口部が形成されていることを特徴とする。
【００１５】
本発明では、貯留部が、第１の開口の下端から所定の高さまでの領域を覆う面部を有しているので、所定の高さを適切に選択することにより、扉の内外における通気を実現するとともに、液体やダスト等が扉の内部に侵入するのを確実に防ぐことができる。
【００１６】
また本発明は、前記扉の内部に冷却ファンを備え、前記冷却ファンの吸入側及び吐出側に、それぞれ前記通気口が設けられていることを特徴とする。
【００１７】
本発明では、冷却ファンの吸入側及び吐出側に、それぞれ通気口が設けられているので、効果的に表示装置やその基板からの熱を放熱するとともに、液体やダスト等が扉の内部に侵入するのを確実に防ぐことができる。
【００１８】
また本発明は、前記扉の底面カバー部に、前記扉の内部及び外部の間を気体が流動可能な開口を有することを特徴とする。
【００１９】
扉の底面カバー部の開口は下向きに開口しているので、液体の貯留部を有していなくても、基本的に、液体やダスト等が扉の中に入る可能性は低い。本発明では、扉の側面カバー部の通気口に加えて、底面カバー部の開口を介して、扉の内外での空気の流動が可能なので、表示装置やその基板からの熱を更に効果的に放熱することができる。
【発明の効果】
【００２０】
以上のように、本発明においては、扉に大形の表示装置を備えた場合であっても、表示装置やその基板を十分に冷却可能で、かつ扉内部を保護可能な冷蔵庫を提供することができる。
【図面の簡単な説明】
【００２１】
【図１】本発明の１つの実施形態に係る冷蔵庫の外形を示す斜視図である。
【図２】本発明の１つの実施形態に係る冷蔵庫の扉の外形を示す斜視図である。
【図３】図２に示す扉の内部構造を示す分解斜視図である。
【図４】図３に示す扉の第１の側面カバー部の下側部分、特に複数の通気口を有する構造を拡大して示す斜視図である。
【図５】図３に示す扉の底面カバー部、特に複数の開口を有する構造示す斜視図である。
【図６】図４に示す本発明の１つの実施形態に係る通気口の構造を模式的に示す側面断面図である。
【図７】図６に示す通気口を含む、扉内部の冷却機構を模式的に示す扉の側面断面図である。
【図８】本発明のその他の実施形態に係る通気口の構造を模式的に示す側面断面図である。
【図９】本発明のその他の実施形態に係る通気口の構造を模式的に示す側面断面図である。
【発明を実施するための形態】
【００２２】
次に、本発明の具体的な実施形態について、図面を参照しながら詳細に説明する。
（本発明の１つの実施形態に係る冷蔵庫の説明）
図１は、本発明の１つの実施形態に係る冷蔵庫の外形を示す斜視図である。はじめに、図１を参照しながら、本発明の１つの実施形態に係る冷蔵庫２の概要を説明する。
【００２３】
本実施形態に係る冷蔵庫２は、筐体４、及び筐体４に開閉自在に取り付けられた上下２つの扉６を備える。２つの扉６に、それぞれ表示装置８が取り付けられている。表示装置８は、その表示面が扉６の前面側に位置し、表示面の更に前面側にガラスカバーを配置することもできる。表示装置８の背面側には、表示装置８を制御するための基板が配置されている。上下の扉６のヒンジ側の側面に、第１の側面カバー部１０が配置されている。
【００２４】
図２は、本発明の１つの実施形態に係る冷蔵庫２の扉部分６の外形を示す斜視図である。図２を参照しながら、扉６の外形を詳細に説明する。上下の扉は基本的に同様な構造を有するが、ここでは、上側の扉６を例にとって説明する。
扉６は、冷蔵室または冷凍室側に内パネル６ａを備え、内パネル６ａの四辺に４つの側面カバー部が連結されている。具体的には、扉６のヒンジ孔３８側の側面に第１の側面カバー部１０が設置される。下の側面に底面カバー部１２が設置される。取手側の側面に第２の側面カバー部１４が設置される。上の側面に上面カバー部１６が設置される。後述するように、第１の側面カバー部１０には、表示装置８やその基板５０を冷却するため、複数の通気口２０が設けられている。
【００２５】
図３は、図２に示す扉６の内部構造を示す分解斜視図である。次に、図３を参照しながら、扉６の内部構造を説明する。図３では、表示装置８が取り除かれて、表示装置８の背面側に配置された表示装置の基板５０が視認可能な状態になっている。
扉６の内パネル６ａ及び中板６ｂが、所定の間隔を隔てて互いに対向するように配置されている。内パネル６ａ及び中板６ｂの間であって、四方を第１の側面カバー部１０，底面カバー部１２，第２の側面カバー部１４及び上面カバー部１６で囲まれた空間に断熱材が充填されている。
【００２６】
一方、中板６ｂよりも前側の底面カバー部１２，第２の側面カバー部１４及び上面カバー部１６で囲まれた空間には、フレーム３２で支持された表示装置８及び基板５０が配置される。図３では、表示装置８が取り除かれた状態なので、フレーム３２及び基板５０が視認可能になっている。また、白抜き矢印で示すように、第１の側面カバー部１０及び底面カバー部１２が取り外された状態を示す。
【００２７】
基板５０は発熱量が大きいので、扉６内部の冷却機構は、基板５０を効果的に冷却できるようになっている。第１の側面カバー部１０に複数の通気口２０が備えられ、扉６の内外における空気の流動が可能になっている。同様に、底面側カバー部１２にも、複数の開口３０が備えられ、扉６の内外における空気の流動が可能になっている。フレーム３２の側面の通気口２０に対応する位置に複数の貫通穴３６が設けられている。これら貫通穴３６の内側に隣接して、上下に２個ずつ計４個の冷却ファン４０が設置されている。基板５０を効率よく冷却するため、冷却ファン４０及び基板５０の間を繋ぐように、整流板３４が設置されている。この冷却機構については、図７を参照しながら、追って詳細に説明する。
【００２８】
図４は、図３に示す扉６の第１の側面カバー部１０の下側部分、特に複数の通気口２０を有する構造を拡大して示す斜視図である。図４（ａ）は、図３の矢印Ａから見た第１の側面カバー部１０の下側部分を外側から見た形状を示し、図４（ａ）は、図３の矢印Ｂから見た第１の側面カバー部１０の下側部分を内側から見た形状を示す。
【００２９】
図４（ａ）に示すように、第１の側面カバー部１０の表示装置８が配置される空間に対応するほぼ全領域に、複数の菱形の凹部を有する。複数の菱形の凹部のうちの一部の凹部は、扉６の内部と空気の流動を可能にする通気口２０を構成する。図４（ｂ）に示すように、複数の通気口２０が円形に配置された領域が２箇所設けられている。同様に、第１の側面カバー部１０の上側部分にも、複数の通気口２０が円形に配置された領域が２箇所設けられている。これらの通気口２０が円形に配置された領域のそれぞれに対応して、冷却ファン４０が配置されている。図６を用いて追って詳細に説明するように、通気口２０は、液体やダスト等が扉６の中に侵入するのを防ぐ構造を有する。
【００３０】
図５は、図３に示す扉６の底面カバー部１２、特に複数の開口３０を有する構造示す斜視図である。図５に示すように、底面カバー部１２の表示装置８が配置される空間に対応するほぼ全領域に複数の開口３０が設けられている。これらの開口３０は下向きに開口しているので、基本的に、開口３０を介して、液体やダスト等が扉６の内部に侵入する可能性は低い。詳細については、図７を用いて追って説明する。
【００３１】
（本発明の１つの実施形態に係る通気口の説明）
図６は、図４に示す本発明の１つの実施形態に係る通気口２０の構造を模式的に示す側面断面図である。次に、図６を参照しながら、本発明の１つの実施形態に係る通気口２０の構造について、詳細に説明する。扉６の第１の側面カバー部１０に複数の通気口２０が設けられている。各々の通気口２０は、基本的に同様な構造を有している。
【００３２】
通気口２０の下側に液体を貯留可能な貯留部２４を有する。通気口２０は、第１の側面カバー部１０の外面に設けられた第１の開口部２２と、貯留部２４の上方に設けられた第２の開口部２６とを有する。そして、貯留部２４が、第１の開口部２２から流入した所定量の液体を貯留可能になっている。
貯留部２４は、第１の開口部２２から扉６の内側に伸びて、第１の開口部２２の下端から所定の高さＨまでの領域を覆う面部２８を有する。面部２８が存在しない上側の領域に第２の開口部２６が形成されている。特に、図６に示す１つの実施形態では、貯留部２４の面部２８が、第１の開口部２２の下端から略水平方向に伸びる下面部２８ａと、下面部２８ａから略垂直上方に伸びた側面部２８ｂとで構成されている。
【００３３】
本実施形態によれば、扉６の第１の側面カバー部１０に設けられた複数の通気口２０により、扉６の内部と外部との間で空気が流動できる。扉６の内部と外部との間の空気の流動により、後述するように、扉６の中に設置された表示装置８及び基板５０を効率良く冷却することができる。
【００３４】
しかし、通気口２０が設けられていると、空気だけでなく、水をはじめとする様々な液体が扉６の内部に侵入する可能性がある。基本的に、水等の液体は空気よりも比重が大きいので、図６の太い実線の矢印に示すように、通気口２０の下側に流入し、液滴６０が通気口２０の下側にたまる。本実施形態では、通気口２０の下側に液体を貯留可能な貯留部２４を有するので、この貯留部２４により液滴６０が扉６の内部に流入するのを防ぐことができる。また、この貯留部２４は、液体だけでなく、ダストをはじめとする空気よりも比重が大きい固体が、扉６の内部に侵入するのを防ぐこともできる。
【００３５】
一方、空気は、通気口２０の全領域から流入可能であり、通気口２０の下側に流入した空気も、図６の点線の矢印に示すように、気流にのって下側から上側へ流動することができる。よって、貯留部２４があっても、空気は通気口２０を介して、扉６の外部から内部へ流入することができる。同様に、貯留部２４があっても、空気は通気口２０を介して、扉６の内部から外部へ流出することができる。この場合でも、貯留部２４により、液体やダスト等が扉６の内部に侵入するのを防ぐことができる。
【００３６】
以上のように、本実施形態によれば、通気口２０の下側に貯留部２４を有することにより、扉６に大形の表示装置８を備えた場合であっても、表示装置８やその基板５０を十分に冷却可能で、かつ扉６の内部を保護可能な冷蔵庫２を提供することができる。
【００３７】
また、本実施形態によれば、貯留部２４により、第１の開口部２２から流入した液体を所定量貯留できるので、貯留部２４の貯留量を適切に選ぶことにより、液体やダスト等が扉６の内部に侵入するのを確実に防ぐことができる。一方、空気は、貯留部２４の上方に設けられた第２の開口部２６を通って、扉６の内部に流入することができる。同様に、空気は通気口２０を介して、扉６の内部から外部へ流出することができるとともに、貯留部２４により、液体やダスト等が扉６の内部に侵入するのを確実に防ぐことができる。
以上のように、本発明によれば、貯留部２４及びその上部の第２の開口部２６により、扉６の内外における通気を実現するとともに、液体やダスト等が扉６の内部に侵入するのを確実に防ぐことができる。
【００３８】
更に、貯留部２４が、第１の開口部２２の下端から所定の高さＨまでの領域を覆う面部２８を有しているので、所定の高さＨを適切に選択することにより、扉６の内外における通気を実現するとともに、液体やダスト等が扉６の内部に侵入するのを確実に防ぐことができる。
【００３９】
ここで、高さＨの適切な値として、第１の開口部２２の上端から下端までの高さをＨＴとすると、ＨがＨＴの５０〜８０％となるように設定することを例示できる。図６の点線の矢印に示すように、第１の開口部２２の貯留部２４が存在しない上側の領域では、空気が水平方向に流れて、扉６の内外を流動できるので、効率的な空気の流れ、延いては効率的な表示装置８や基板５０の冷却が実現できる。また、樹脂成形で第１の側面カバー部１０を製造する場合、比較的容易に成形することができる。
【００４０】
（扉内部の冷却機構の説明）
図７（ａ）は、図６に示す通気口２０を含む扉６内部の冷却機構を模式的に示す扉の側面断面図である。また、図７（ｂ）は、底面カバー部１２のその他の実施形態を模式的に示す側面断面図である。
図７（ａ）でも、表示装置８は取り除かれて、その基板５０のみが示されている。ただし、通気口２０から流入した空気は、図６に図示されていない表示装置８の背面に沿って流れるので、基板５０だけでなく、表示装置８も冷却される。更に、通気口２０から流入した空気の流路に配置されたその他の電子部品も冷却される。次に、図７（ａ）を参照しながら、上述の本発明の１つの実施形態に係る通気口２０を含む、扉６内部の冷却機構について詳細に説明する。
【００４１】
図７（ａ）では、第１の側面カバー部１０の下側に配置された複数の通気口２０を介して、空気が扉６の外部から内部へ流入し、第１の側面カバー部１０の上側に配置された複数の通気口２０を介して、空気が扉６の内部から外部へ流出する場合を示す。ただし、これに限られるものではなく、逆に、第１の側面カバー部１０の上側に配置された複数の通気口２０を介して、空気が扉６の外部から内部へ流入し、第１の側面カバー部１０の下側に配置された複数の通気口２０を介して、空気が扉６の内部から外部へ流出する場合もあり得る。
【００４２】
第１の側面カバー部１０の下側に配置された複数の通気口２０の近傍に、２つの冷却ファン４０が配置され、第１の側面カバー部１０の上側に配置された複数の通気口２０の近傍に、２つの冷却ファン４０が配置されている。下側の冷却ファン４０の吸込力により、扉６の外部の空気が、通気口２０及びフレーム３２に設けられた貫通穴３６を通って、冷却ファン４０の吸込口へ流入する。冷却ファン４０から吐出された空気は、整流板３４に沿って図面左上側へ流れ、表示装置の基板５０へ達する。空気は、整流板３４に沿って、進行方向を逆向きに変えながら基板５０を通過するときに、基板５０から発する熱を奪う。同様に表示装置８の背面側を空気が流れるので、表示装置８から発する熱も奪うことができる。
【００４３】
基板５０を通過した空気は、上側の冷却ファン４０の吸込力により、整流板３４に沿って図面右上側に流れ、冷却ファン４０の吸込口へ流入する。冷却ファン４０から吐出された空気は、フレーム３２の貫通穴３６及び通気口２０を通って、扉６の外部へ流出する。これにより、表示装置の基板５０や表示装置８から奪った熱を外部へ放出することができる。常に、第１の側面カバー部１０の下側の通気口２０から、十分に温度の低い空気が扉６の内部に流入して、上述の冷却サイクルを繰り返すので、扉６に大形の表示装置８を備えた場合であっても、表示装置８やその基板５０を十分に冷却することができる。
【００４４】
本実施形態では、第１の側面カバー部１０の上側及び下側に配置された通気口２０の両方の近傍に冷却ファン４０が配置されているが、これに限られるものではなく、上側及び下側の一方にだけ冷却ファン４０が配置されている場合もあり得る。本実施形態では、上側及び下側にそれぞれ２つの冷却ファン４０が配置されているが、それぞれ１つの冷却ファン４０が配置される場合もあり得るし、それぞれ３つ以上の冷却ファン４０が配置される場合もあり得る。
【００４５】
何れの場合においても、冷却ファン４０の吸入側及び吐出側に、それぞれ通気口２０が設けられているので、表示装置８やその基板５０からの熱を効果的に放熱するとともに、液体やダスト等が扉の内部に侵入するのを確実に防ぐことができる。
【００４６】
図７（ａ）に示すように、底面カバー部１２に複数の開口３０が設けられている。底面カバー部１２は下向きに開口しているので、第１の側面カバー部のような貯留部２４を備える必要はない。冷却ファン４０の吸込力や吐出力により、複数の開口３０を介して、扉６の内外での空気の流動が生じる。図７(ａ)では、開口３０を介して、空気が扉６の内部に流入するように記載してあるが、扉６の内部の気圧によって、空気が扉６の外部へ流出する場合もあり得る。
以上のように、扉６の第１の側面カバー部１０の通気口２０に加えて、底面カバー部１２の開口３０を介して扉６の内外での空気の流動が可能なので、表示装置８や基板５０からの熱を更に効果的に放熱することができる。
【００４７】
ただし、底面カバー部１２に設けられた開口３０は、図７（ａ）に示す場合だけでない。例えば、図７（ｂ）に示すように、第１の側面カバー部１０の場合と同様な液体の貯留部２４を有する通気口２０を用いることもできる。
【００４８】
上述の実施形態では、第１の側面カバー部１０に、複数の通気口２０が設けられているが、これに限られるものではない。取っ手側の第２の側面カバー部１４に、複数の通気口２０が設けられている場合もあり得る。更に、第１の側面カバー部１０及び第２の側面カバー部１４の両方に複数の通気口２０が設けられ、一方の側面カバー部から扉の６の内部に空気を取り入れて、他方の側面カバー部から空気を排出することもできる。
また、複数の通気口２０の代わりに、例えば、水平方向に伸びた横長の１つの通気口２０を採用することもできる。
【００４９】
（本発明のその他の実施形態に係る通気口の説明）  
図８及び図９は、本発明のその他の実施形態に係る通気口２０の構造を模式的に示す側面断面図である。はじめに図８に示す実施形態の説明を行う。
図８に示す実施形態では、通気口２０の貯留部２４が、下面部及び側面部のような平面ではなく、概ね曲面からなる面部２８で構成されている。図８（ａ）では、貯留部２４の上端より、第１の開口部２２の上端が高くなっている。よって、図６に示す通気口２０と同様に、第１の開口部２２の貯留部２４が存在しない上側の領域では、空気が水平方向に流れて、扉６の内外を流動できるので、効率的な空気の流れを実現できる。また、樹脂成形で第１の側面カバー部１０ｗお製造する場合、比較的容易に成形することができる。
【００５０】
図８（ｂ）では、貯留部２４の上端と、第１の開口部２２の上端とが同じ高さになっている。図８（ｃ）では、貯留部２４の上端より、第１の開口部２２の上端が低くなっている。第１の開口部２２の上側の領域で、空気が水平方向に流れて扉６の内部に流入することはできないが、扉６の内部に液体やダスト等が侵入することを、より効果的に防ぐことができる。
【００５１】
図９に示す実施形態では、第１の開口部２２が所定のピッチで配置された前側板状部材１０ａと、第２の開口部２６が所定のピッチで配置された後ろ側板状部材１０ｂとが互いに対向するように配置されている。また、第１の開口部２２のピッチと、第２の開口部２６のピッチとが互いにずれて、所謂千鳥に配置されている。
前側板状部材１０ａの第１の開口部２２の下端から略水平方向に下面部２８ａが伸びて、後ろ側板状部材１０ｂに繋がっている。これにより、後ろ側板状部材１０ｂの第２の開口部２６が設けられていな部分が、下面部２８ａから略垂直上方に伸びた側面部２８ｂになっている。本実施形態では、シンプルな構造で大きな容量の貯留部２４を得ることができる。
【００５２】
上述の何れの実施形態に係る通気口２０においても、貯留部２４が、第１の開口部２２の下端から所定の高さまでの領域を覆う面部２８を有しているので、所定の高さを適切に選択することにより、扉６の内外における通気を実現するとともに、液体やダスト等が扉６の内部に侵入するのを確実に防ぐことができる。
【００５３】
本発明の実施の形態、実施の態様を説明したが、開示内容は構成の細部において変化してもよく、実施の形態、実施の態様における要素の組合せや順序の変化等は請求された本発明の範囲および思想を逸脱することなく実現し得るものである。
【符号の説明】
【００５４】
２              冷蔵庫
４              筐体
６              扉
６ａ            内パネル
６ｂ            中板
８              表示装置
１０            第１の側面カバー部
１０ａ          前側板状部材
１０ｂ          後ろ側板状部材
１２            底面カバー部
１４            第２の側面カバー部
１６            上面カバー部
２０            通気口
２２            第１の開口部
２４            貯留部
２６            第２の開口部
２８            面部
２８ａ          下面部
２８ｂ          側面部
３０            開口
３２            フレーム
３４            整流板
３６            貫通穴
３８            ヒンジ孔
４０            冷却ファン
５０            基板
６０            液滴
【図１】
0006733078.tif 000002
【図２】
0006733078.tif 000003
【図３】
0006733078.tif 000004
【図４】
0006733078.tif 000005
【図５】
0006733078.tif 000006
【図６】
0006733078.tif 000007
【図７】
0006733078.tif 000008
【図８】
0006733078.tif 000009
【図９】
0006733078.tif 000010